(57)【要約】【課題】軒樋のガタツキが生じ難く、後耳の抜け外れも確実に防止する。【解決手段】軒樋支持具本体Ｒの後部に設けた軒樋耳部嵌合凹所Ｓに、軒樋Ｔの後耳Ｔ１を嵌挿すると共に、前記軒樋支持具本体Ｒに延設された係止片を、前記後耳Ｔ１の内側に係止してなる軒樋支持具において、前記軒樋耳部嵌合凹所Ｓの前方に、前記軒樋支持具本体Ｒから２つの側壁片１、２を併設して垂下させた係止二重壁片３を形成してなり、前記係止二重壁片３の後耳側に配置された内側壁片２を弾性体にて形成し、この内側壁片２の下端に延設された係止片２１を前記後耳Ｔ１の内側に係止させると共に、前記内側壁片２の外方に併設した外側壁片１の下端を後耳Ｔ１側に延設して支持片１１を形成し、前記内側壁片２の係止片２１を支持する構造にしたことを特徴とする。【選択図】図１
2008240434.tif 000002
【特許請求の範囲】
【請求項１】
軒樋支持具本体の後部に設けた軒樋耳部嵌合凹所に、軒樋の後耳を嵌挿すると共に、前記軒樋支持具本体に延設された係止片を、前記後耳の内側に係止してなる軒樋支持具において、
前記軒樋支持具本体から２つの側壁片を併設して垂下させた係止二重壁片を形成してなり、
前記係止二重壁片の後耳側に配置された内側壁片を弾性体にて形成し、この内側壁片の下端に延設された係止片を前記後耳の内側に係止させると共に、
前記内側壁片の外方に併設した外側壁片の下端を後耳側に延設して支持片を形成し、前記内側壁片の係止片を支持する構造にしたことを特徴とする軒樋支持具。
【請求項２】
請求項１において、
前記軒樋耳部嵌合凹所の後方に設けた取付板の内壁面下方には、該軒樋耳部嵌合凹所に向けて突出させた押圧突部を形成している軒樋支持具。
【請求項３】
請求項１又は２の何れかに記載された軒樋支持具を軒先等に設置し、軒樋支持具本体の後部に設けた軒樋耳部嵌合凹所に、軒樋の後耳を嵌挿して係止してなる軒樋支持構造。
【発明の詳細な説明】
【技術分野】
【０００１】
本発明は、軒樋の後耳を係止する構造に関し、詳しくは、軒樋支持具本体の後部に設けた軒樋耳部嵌合凹所に、軒樋の後耳を嵌挿すると共に、前記軒樋支持具本体に延設された係止片を、前記後耳の内側に係止してなる軒樋支持具に関する。
【背景技術】
【０００２】
一般に、軒樋の後耳を保持するには、軒樋支持具本体の後部に設けた軒樋耳部嵌合凹所に、軒樋の後耳を嵌挿すると共に、前記軒樋支持具本体に延設された１つの係止片を、前記後耳の内側に形成された被係止部に係止してなる。
【０００３】
具体的には、前記係止片は、バネ板等の弾性体で形成しており、この係止片の一端を前記軒樋支持具本体の適所に固着するとともに、他端を前記軒樋耳部嵌合凹所に向けて遊端状態で延設してなる。
【０００４】
そして、軒樋の後耳を前記軒樋耳部嵌合凹所に向けて押し込みながら嵌挿すると、前記係止片が撓んで変形するとともに、前記後耳が係止片を乗り越えて前記軒樋耳部嵌合凹所に嵌挿される。
【０００５】
同時に、前記係止片は、その弾性復元力によって、元の形状（位置）に復元されて前記後耳を係止し、その抜け外れを防止するようにしている（例えば、特許文献１参照。）。
【特許文献１】特開２００１−１８２２４２号
【発明の開示】
【発明が解決しようとする課題】
【０００６】
しかし、従来の軒樋支持具には、以下の問題があった。
【０００７】
すなわち、前記軒樋耳部嵌合凹所に収容された軒樋の後耳は、弾性体である係止片で係止されるとともに、支持されている。
【０００８】
一方、軒樋は、風雨に晒される場所に設置される場合が多いため、前記軒樋に外部からの荷重がかかると、前記係止片が該荷重に伴って変形する。
【０００９】
そのため、軒樋自体にガタツキが生じ易いという問題がある。
【００１０】
特に、大型の軒樋では、前記係止片に負荷される荷重も大きく、該係止片の変形によって後耳が抜け外れる危険があるため、該係止片を大型化したり、あるいは、弾性強度の高いものを使用する必要があった。
【００１１】
本発明は、かかる課題を解決することを目的とし、２つの側壁片の協働によって前記後耳を支持する構造を新規に創作したものであり、詳しくは、一方の側壁片（内側壁片）は、後耳を係止するように弾性体にて形成され、他の側壁片（外側壁片）は、非弾性体で形成されるとともに、前記一方の側壁片の係止片を支持して、その弾性変形を規制するようにした２つの側壁片（係止二重壁片）を備えた軒樋支持具を提供する。
【課題を解決するための手段】
【００１２】
上記目的を達成するため、
請求項１に係る軒樋支持具は、軒樋支持具本体の後部に設けた軒樋耳部嵌合凹所に、軒樋の後耳を嵌挿すると共に、前記軒樋支持具本体に延設された係止片を、前記後耳の内側に係止してなる軒樋支持具において、前記軒樋支持具本体から２つの側壁片を併設して垂下させた係止二重壁片を形成してなり、前記係止二重壁片の後耳側に配置された内側壁片を弾性体にて形成し、この内側壁片の下端に延設された係止片を前記後耳の内側に係止させると共に、前記内側壁片の外方に併設した外側壁片の下端を後耳側に延設して支持片を形成し、前記内側壁片の係止片を支持する構造にしたことを特徴とする。
【００１３】
請求項２に係る軒樋支持具は、請求項１において、前記軒樋耳部嵌合凹所の後方に設けた取付板の内壁面下方には、該軒樋耳部嵌合凹所に向けて突出させた押圧突部を形成している。
【００１４】
請求項３に係る軒樋支持構造は、請求項１又は２の何れかに記載された軒樋支持具を軒先等に設置し、軒樋支持具本体の後部に設けた軒樋耳部嵌合凹所に、軒樋の後耳を嵌挿して係止してなる。
【発明の効果】
【００１５】
本発明によれば、次のような効果がある。
【００１６】
請求項１に係る軒樋支持具によれば、２つの側壁片の協働によって軒樋の後耳を支持する構造とし、一方の側壁片（内側壁片）は、後耳を係止するように弾性体にて形成され、他の側壁片（外側壁片）は、非弾性体で形成されるとともに、前記一方の側壁片の係止片を支持して、その弾性変形を規制するようにしている。
【００１７】
そのため、軒樋に外部から荷重がかかり、前記後耳を直接支持する一方の側壁片（内側壁片）が、前記荷重に伴って変形しようとしても、他の側壁片（外側壁片）が、前記一方の側壁片の弾性変形を規制するため、軒樋自体のガタツキを確実に防止できる。
【００１８】
特に、大型の軒樋では、高重量であるため、前記係止片に負荷される荷重も大きくなるが、このような大型の軒樋であっても、前記２つの側壁片を大型化したり、あるいは、弾性強度の高いものを使用する必要がなく、コストダウンを図ることができる。
【００１９】
請求項２に係る軒樋支持具によれば、軒樋耳部嵌合凹所の後方に設けた取付板の内壁面下方には、該軒樋耳部嵌合凹所に向けて突出させた押圧突部を形成しているため、この軒樋耳部嵌合凹所に嵌挿された軒樋の後耳近傍を、一方の側壁片（内側壁片）と前記押圧突部の両方で挟み込んで支持するため、軒樋自体のガタツキをより確実に防止できる。
【００２０】
請求項３に係る軒樋支持構造によれば、請求項１又は２の何れかに記載された軒樋支持具を軒先等に設置し、軒樋支持具本体の後部に設けた軒樋耳部嵌合凹所に、軒樋の後耳を嵌挿して係止してなるため、請求項１又は２の何れかに記載された軒樋支持具の効果を発揮できる。
【発明を実施するための最良の形態】
【００２１】
以下、本発明に係る軒樋支持具Ａ及びこれを用いた軒樋支持構造Ｂを図面とともに説明する。
【実施例１】
【００２２】
図１は、本発明に係る軒樋支持具Ａ及びこれを用いた軒樋支持構造Ｂの一実施例を概略した取付側面図であり、図２（ａ）〜（ｃ）は、図１で示した軒樋支持具Ａ及びこれを用いた軒樋支持構造Ｂの要部を拡大した動作図である。
【００２３】
この軒樋支持具Ａは、軒樋支持具本体Ｒの後部に設けた軒樋耳部嵌合凹所Ｓの前方に、軒樋支持具本体Ｒから２つの側壁片１、２を併設して垂下させた係止二重壁片３を形成してなり、この係止二重壁片３の後耳Ｔ１側に配置された内側壁片２を弾性体にて形成し、この内側壁片２の下端に延設された係止片２１を後耳Ｔ１の内側に係止させると共に、内側壁片２の外方に併設した外側壁片１の下端を後耳Ｔ１側に延設して支持片１１を形成し、内側壁片２の係止片２１を支持する構造にしている。
【００２４】
ここで、軒樋耳部嵌合凹所Ｓとは、後耳Ｔ１を収容可能な空間を意味し、後耳Ｔ１の形状等に応じて適宜形成される。
【００２５】
本発明の要部である係止二重壁片３は、外側壁片１及び内側壁片２で構成してなる。
【００２６】
なお、本実施例の軒樋支持具Ａは、合成樹脂にて一体成形されたものを例示するが、金属製のものであっても構わない。
【００２７】
外側壁片１は、軒樋支持具本体Ｒと一体形成された非弾性体であり、ここでは、軒樋支持具本体Ｒの後部から、軒樋耳部嵌合凹所Ｓに向けて略椀状に形成した支持片１１を突設している。
【００２８】
また、外側壁片１は、軒樋支持具本体Ｒと別体で形成した非弾性体であっても良く、この場合には、非弾性体の外側壁片１の一端を、軒樋支持具本体Ｒに周知手段にて固着し、その他端側で内側壁片２の係止片２１を支持しても構わない。
【００２９】
このような別体で形成した外側壁片１によれば、従来の軒樋支持具の係止片を支持するように外側壁片１を固着するだけで、本発明の軒樋支持具Ａと同等の機能を得ることができ、既存の軒樋支持具を利用できる。
【００３０】
内側壁片２は、略釣針状に形成され、上端を軒樋支持具本体Ｒに連設して一体形成された弾性体であるとともに、下端には、後耳Ｔ１に係止可能な係止片２１を形成している。
【００３１】
また、内側壁片２の上端は、下端に比べて薄肉に形成しており、内側壁片２を撓み易くしている。
【００３２】
なお、内側壁片２として、断面略コ状に形成した金属製の板バネを使用することも可能であり、この場合には、軒樋耳部嵌合凹所Ｓの内壁上面に一端を固定し、他端を係止片２１として使用する。
【００３３】
軒樋耳部嵌合凹所Ｓの後方には、取付板５が配置されており、この取付板５の内壁面下方には、軒樋耳部嵌合凹所Ｓに向けて突出させた押圧突部５１を形成するのが好ましい。
【００３４】
以上のように構成した本発明の軒樋支持具Ａは、以下の要領で作用する。
【００３５】
先ず、軒先等の壁面Ｈに固定部Ｋを周知手段で固定して設置する。
【００３６】
次に、軒樋支持具本体Ｒの前部に形成された前耳係止部４に軒樋Ｔの前耳Ｔ２を係止した後、この前耳Ｔ２を支点にして軒樋Ｔを回転させ、後耳Ｔ１を軒樋耳部嵌合凹所Ｓに向けて嵌挿する〔図２、（ａ）参照。〕。
【００３７】
すると、後耳Ｔ１は、内側壁片２と係止片２１を撓めて変形させるるとともに、後耳Ｔ１が係止片２１を乗り越えて軒樋耳部嵌合凹所Ｓに嵌挿される〔図２、（ｂ）参照。〕。
【００３８】
同時に、係止片２１は、その弾性復元力によって、元の形状（位置）に復元されて後耳Ｔ１を図中想像線で示すように係止し、その抜け外れを防止するのである〔図２、（ｃ）参照。〕。
【００３９】
一方、このように設置された軒樋Ｔに対し、外部から荷重がかかると、係止片２１が該荷重に伴って変形する。
【００４０】
しかし、この係止片２１の下方には、外側壁片１の支持片１１が近接して配置されているため、内側壁片２の係止片２１が下方に変形しようとしても、この変形を規制して係止片２１を支持するのである。
【００４１】
そして、この軒樋Ｔの内側では、係止二重壁片３が後耳Ｔ１を係止し、且つ、軒樋Ｔの外側では、取付板５の下方にある押圧突部５１が軒樋Ｔを外側からサポートし、軒樋Ｔ自体にガタツキが生じることを防止できるとともに、後耳Ｔ１の抜け外れを確実に防止できる。
【００４２】
なお、本実施例で示した軒樋支持具Ａは、軒樋耳部嵌合凹所Ｓの前方（前耳側）に軒樋Ｔの後耳Ｔ１の内側を係止する構造の２つの側壁片１、２を併設して垂下させた係止二重壁片３を形成したものを例示したが、後耳Ｔ１の形状に応じて、例えば、軒樋耳部嵌合凹所Ｓの後方（取付板５側）に軒樋Ｔの後耳Ｔ１の外側を係止する構造の２つの側壁片１、２を併設して垂下させた係止二重壁片３を形成することも可能であり、この場合には、内側壁片２の係止片２１を軒樋耳部嵌合凹所Ｓに向けて形成し、外側壁片１の下端を前耳側に延設して支持片１１を形成して係止片２１を支持することで、前記同様の効果を得ることができる。
【００４３】
また、本発明の要部である係止二重壁片３以外における軒樋支持具Ａの形状、材質等は、本実施例に限定されるものではなく、既存の形状、材質等であっても構わない。
【図面の簡単な説明】
【００４４】
【図１】本発明に係る軒樋支持具Ａ及びこれを用いた軒樋支持構造Ｂの一実施例を概略した取付側面図である。
【図２】（ａ）〜（ｃ）は、図１で示した軒樋支持具Ａ及びこれを用いた軒樋支持構造Ｂの要部を拡大した動作図である。
【符号の説明】
【００４５】
Ａ    軒樋支持具
Ｂ    軒樋支持構造
Ｓ    軒樋耳部嵌合凹所
Ｒ    軒樋支持具本体
Ｔ    軒樋
Ｔ１  後耳
１    外側壁片
１１  支持片
２    内側壁片
２１  係止片
３    係止二重壁片
５    取付板
５１  押圧突部
【図１】
2008240434.tif 000003
【図２】
2008240434.tif 000004